(57)【要約】【課題】  ハンガーレールの両端部でスラットを操作可能としながら、美観上好ましく、無用な誤操作を防止し、スラットの畳み込み位置を多様に選択し得る縦型ブラインドを提供する。【解決手段】  多数のランナーのうち、両端部に位置するランナーを先頭ランナー２ａ，２ｂとして後続のランナー２をハンガーレール１の中央部及びハンガーレール１の両端部に向かって移送可能とし、各先頭ランナーのいずれかに共通の操作棒１０を付け替え可能とした。【選択図】      図１
2006249781.tif 000002
【特許請求の範囲】
【請求項１】
ハンガーレール内に多数のランナーを移動可能に支持し、前記各ランナーからそれぞれスラットを回動可能に吊下支持し、操作棒で先頭ランナーをハンガーレールに沿って移動させることにより、各ランナーを先頭ランナーに追随させて前記スラットの引き出し及び畳み込み操作を行い、前記操作棒を回転操作することにより、各ランナーに挿通されたチルト軸を回転させて、前記スラットの角度調節を行う縦型ブラインドにおいて、
前記多数のランナーのうち、両端部に位置するランナーを先頭ランナーとして後続のランナーをハンガーレールの中央部及びハンガーレールの両端部に向かって移送可能とし、前記各先頭ランナーのいずれかに共通の操作棒を付け替え可能としたことを特徴とする縦型ブラインド。
【請求項２】
前記先頭ランナーには、前記操作棒の操作に基づいて前記チルト軸を回転駆動可能としたチルトランナーをそれぞれ取着したことを特徴とする請求項１記載の縦型ブラインド。
【請求項３】
前記チルトランナーは、ハンガーレールに沿って移動可能に支持されたケースに入力軸と出力軸とを回転可能に支持し、前記入力軸と出力軸とを歯車で連結し、前記出力軸に前記チルト軸を軸方向に相対移動可能にかつ相対回転不能に挿通し、前記ケースの下端に露出する前記入力軸の先端に前記操作棒を吊下支持可能とする掛止孔を形成したことを特徴とする請求項２記載の縦型ブラインド。
【請求項４】
前記ハンガーレールの両端には、前記先頭ランナーを保持する保持手段を設けたことを特徴とする請求項１乃至３のいずれか１項に記載の縦型ブラインド。
【請求項５】
前記保持手段として、前記ハンガーレールの両端部に取着するエンドキャップに、前記ケースを弾性的に保持する保持部を設けたことを特徴とする請求項４記載の縦型ブラインド。
【請求項６】
前記各チルトランナーの入力軸と出力軸間の歯車を、各チルトランナーの掛止孔の開口方向が同一方向となるように噛み合わせたことを特徴とする請求項３乃至５のいずれか１項に記載の縦型ブラインド。
【請求項７】
前記各チルトランナーの入力軸を、前記ハンガーレールの前後方向の中心から室内側にオフセットした位置に設けたことを特徴とする請求項３乃至６のいずれか１項に記載の縦型ブラインド。
【発明の詳細な説明】
【技術分野】
【０００１】
この発明は、縦型ブラインドのスラットをハンガーレールに沿って移動させるスラット操作装置に関するものである。
【背景技術】
【０００２】
縦型ブラインドは、ハンガーレール内を移動可能に支持された多数のランナーからそれぞれスラットが角度調節可能に吊下支持され、スラットをハンガーレールに沿って引き出し、かつスラットの角度を調節することにより、室内への採光量を適宜調節可能である。
【０００３】
このような縦型ブラインドの一種類として、先頭ランナーから操作棒を吊下支持し、その操作棒を操作して先頭ランナーをハンガーレールに沿って移動させることにより、各ランナーを追随させて、スラットの引き出し操作及び畳み込み操作を行い、かつ操作棒を回転操作することにより、各スラットを同位相で角度調節可能としたものがある。
【０００４】
すなわち、各ランナーはスペーサーで連結され、先頭ランナーを操作棒で移動させることにより、後続のランナーを移動させる。また、各ランナーにはチルト軸が嵌挿され、そのチルト軸の回転にともなってスラットを回動させるウォーム機構が内蔵される。そして、操作棒を回転操作することにより、先頭ランナーに取着されたギヤボックスを介してチルト軸を回転させ、そのチルト軸の回転により各スラットを同位相で回動させるようになっている。
【０００５】
特許文献１には、ハンガーレールの両端部に操作コードがそれぞれ垂下され、その操作コードの操作によりスラットをハンガーレールの左端側及び右端側あるいは中央部のいずれにも畳み込み可能とした縦型ブラインドが開示されている。
【特許文献１】特開２００５−３６６３３号公報
【発明の開示】
【発明が解決しようとする課題】
【０００６】
特許文献１に記載された縦型ブラインドでは、ハンガーレールの両端部に常時操作コードが垂下されているので、右納まりあるいは左納まりのいずれかでのみ使用する場合には、ハンガーレールの一方に無用な操作コードが垂下されることになり、美観上好ましくない。
【０００７】
また、ハンガーレールの両端部に垂下される操作コードを常時操作可能であるので、所望の開閉操作に対応しない反対側の操作コードを操作してしまう等、無用な誤操作を招くおそれがある。
【０００８】
この発明の目的は、ハンガーレールの両端部でスラットを操作可能としながら、美観上好ましく、無用な誤操作を防止し、スラットの畳み込み位置を多様に選択し得る縦型ブラインドを提供することにある。
【課題を解決するための手段】
【０００９】
請求項１では、ハンガーレール内に多数のランナーを移動可能に支持し、前記各ランナーからそれぞれスラットを回動可能に吊下支持し、操作棒で先頭ランナーをハンガーレールに沿って移動させることにより、各ランナーを先頭ランナーに追随させて前記スラットの引き出し及び畳み込み操作を行い、前記操作棒を回転操作することにより、各ランナーに挿通されたチルト軸を回転させて、前記スラットの角度調節を行う縦型ブラインドにおいて、前記多数のランナーのうち、両端部に位置するランナーを先頭ランナーとして後続のランナーをハンガーレールの中央部及びハンガーレールの両端部に向かって移送可能とし、前記各先頭ランナーのいずれかに共通の操作棒を付け替え可能とした。
【００１０】
請求項２では、前記先頭ランナーには、前記操作棒の操作に基づいて前記チルト軸を回転駆動可能としたチルトランナーをそれぞれ取着した。
請求項３では、前記チルトランナーは、ハンガーレールに沿って移動可能に支持されたケースに入力軸と出力軸とを回転可能に支持し、前記入力軸と出力軸とを歯車で連結し、前記出力軸に前記チルト軸を軸方向に相対移動可能にかつ相対回転不能に挿通し、前記ケースの下端に露出する前記入力軸の先端に前記操作棒を吊下支持可能とする掛止孔を形成した。
【００１１】
請求項４では、前記ハンガーレールの両端には、前記先頭ランナーを保持する保持手段を設けた。
請求項５では、前記保持手段として、前記ハンガーレールの両端部に取着するエンドキャップに、前記ケースを弾性的に保持する保持部を設けた。
【００１２】
請求項６では、前記各チルトランナーの入力軸と出力軸間の歯車を、各チルトランナーの掛止孔の開口方向が同一方向となるように噛み合わせた。
請求項７では、前記各チルトランナーの入力軸を、前記ハンガーレールの前後方向の中心から室内側にオフセットした位置に設けた。
【発明の効果】
【００１３】
本発明によれば、ハンガーレールの両端部でスラットを操作可能としながら、美観上好ましく、無用な誤操作を防止し、スラットの畳み込み位置を多様に選択し得る縦型ブラインドを提供することができる。
【発明を実施するための最良の形態】
【００１４】
以下、この発明を具体化した縦型ブラインドの一実施の形態を図面に従って説明する。図１及び図２に示す縦型ブラインドは、ハンガーレール１内に多数のランナー２が移動可能に支持され、各ランナー２に設けられるフック３からそれぞれスラット４が吊下支持される。
【００１５】
前記各ランナー２には、図３に示すように、ハンガーレール１の前後方向の中心から前方にオフセットした位置で、３条のスプラインが刻設されたチルト軸５が軸方向に相対移動可能に挿通され、そのチルト軸５の両端はハンガーレール１の両端に取着されるエンドキャップ６ａ，６ｂに回転可能に支持されている。前記各ランナー２内には前記チルト軸５の回転にともなって前記フック３を回動させるウォーム機構７が内蔵されている。
【００１６】
また、前記各ランナー２はスペーサー８で連結され、各ランナー２の最大離間距離が設定されている。
前記各ランナー２のうち、両端部に位置する先頭ランナー２ａ，２ｂと前記エンドキャップ６ａ，６ｂとの間において、前記ハンガーレール１にはチルトランナー９ａ，９ｂが移動可能に支持されている。そのチルトランナー９ａ，９ｂには前記チルト軸５が軸方向に相対移動可能に挿通されるとともに、チルトランナー９ａ，９ｂのいずれか一方（図１においては右方に位置するチルトランナー９ａ）には操作棒１０が吊下支持されている。そして、操作棒１０の回転操作に基づいてチルト軸５が回転されるようになっている。
【００１７】
また、前記チルトランナー９ａ，９ｂは連結棹１１ａ，１１ｂを介して先頭ランナー２ａ，２ｂに連結されている。従って、操作棒１０を操作してチルトランナー９ａあるいは同９ｂをハンガーレール１に沿って移動させると、先頭ランナー２ａ，２ｂに追随して各ランナー２が順次移送されるようになっている。
【００１８】
前記チルトランナー９ａ，９ｂ及び連結棹１１ａ，１１ｂは、ハンガーレール１の左右方向の中心に対し線対称状に構成される点を除いて同一構成であるので、図４〜図６に従ってチルトランナー９ａ及び連結棹１１ａ，１１ｂの構成を説明する。
【００１９】
前記チルトランナー９ａは、ケース１２内において、同ケース１２の前後方向の中心から前方にオフセットした位置に入力軸１３と出力軸１４が回転可能に支持されている。前記入力軸１３の回転軸心は垂直方向であり、出力軸１４の回転軸心は水平方向である。そして、入力軸１３及び出力軸１４の基端部には互いに噛み合う傘歯車１５がそれぞれ形成されている。
【００２０】
前記入力軸１３の下端部はケース１２の下方に露出され、掛止孔１６が形成されている。そして、前記操作棒１０の上端に形成されたフック部が掛止孔１６に引っ掛けられて吊下支持されている。従って、操作棒１０はハンガーレール１の前後方向の中心から前方にオフセットした位置で吊下支持され、掛止孔１６に対し容易に着脱可能である。
【００２１】
前記チルトランナー９ａ，９ｂでは、入力軸１３の回転角の位相、すなわち掛止孔６の開口方向が一致するように、傘歯車１５の噛み合い位置が調整されている。
前記出力軸１４の中心部には、前記チルト軸５が軸方向に移動可能にかつ相対回転不能に挿通されている。従って、操作棒１０を操作して入力軸１３を回転させると、傘歯車１５及び出力軸１４を介してチルト軸５が回転される。
【００２２】
前記連結棹１１ａ，１１ｂは、ケース１２の前後両側に並行して設けられる。連結棹１１ａ，１１ｂの一端には長孔１７が設けられ、その長孔１７がケース１２の前後側面に設けられる断面長円状の連結軸１８に嵌合されている。従って、連結棹１１ａ，１１ｂはケース１２に対し回動不能に連結される。
【００２３】
連結棹１１ａ，１１ｂの他端には円孔１９が形成され、その円孔１９に先頭ランナー２ａの車軸２０が回動可能に嵌合される。従って、先頭ランナー２ａは車軸２０を支点として連結棹１１ａ，１１ｂに回動可能に支持される。
【００２４】
前記車軸２０は、先頭ランナー２ａ，２ｂ以外のランナー２では車輪を回転可能に支持するものである。また、前記連結棹１１ａ，１１ｂはハンガーレール１の内側面に対向して設けられるレール部２１内に摺動可能に支持される。また、他のランナー２の車輪は、このレール部２１内を転動する。
【００２５】
図５に示すように、前記ハンガーレール１の開口縁の近傍には、上方に向かって延びるリブ２２がそれぞれ形成され、そのリブ２２と開口縁とでアングル状の案内部２３が形成されている。そして、前記ケース１２の前後方向側面の下部には、案内部２３に沿った角部２４が形成されている。従って、チルトランナー９ａがハンガーレール１内を移動するとき、角部２４が案内部２３で支持されて、ハンガーレール１に対するケース１２の捩れが生じないようになっている。
【００２６】
図７は、チルトランナー９ｂ及びそのチルトランナー９ｂに連結棹１１ａ，１１ｂで連結される先頭ランナー２ｂを示す。チルトランナー９ｂは、チルトランナー９ａに対し線対称状に構成される点を除いて同様な構成である。
【００２７】
前記エンドキャップ６ａ，６ｂは、合成樹脂で形成され、前記チルトランナー９ａ，９ｂを保持する保持部２５が設けられている。すなわち、図８に示すように、エンドキャップ６ｂの下辺には前記操作棒１０の移動軌跡上に開口する保持部（保持手段）２５が形成され、その保持部２５に前記操作棒１０を支持するケース１２の円筒部２６を嵌合可能となっている。保持部２５はその開口部の間隔が円筒部２６の径より僅かに小さくなるように形成されて、円筒部２６を弾性的に保持可能となっている。エンドキャップ６ａも同様な構成である。
【００２８】
図９及び図１０は、連結棹及びチルトランナーの別例を示す。この連結棹１１ａには、ケース１２の側面に沿って突出する四角軸２７が一体に形成され、ケース１２の側面には四角軸２７の上面及び下面に係合する突部２８ａ，２８ｂが形成されている。このような構成により、連結棹１１ａは連結軸１８と突部２８ａ，２８ｂとにより、ケース１２に対し確実に回動不能となる。
【００２９】
次に、上記のように構成された縦型ブラインドの動作を説明する。
図１に示すように、ハンガーレール１の右端側に位置するチルトランナー９ａから操作棒１０を吊下支持した状態では、チルトランナー９ｂをハンガーレール１の左端側のエンドキャップ６ｂの保持部２５に保持した状態とする。
【００３０】
この状態で、操作棒１０を操作してチルトランナー９ａをハンガーレール１に沿って右方へ移動させれば、先頭ランナー２ａ及び後続のランナー２が同方向へ順次移動され、スラット４が引き出される。また、操作棒１０を回転操作すると、チルト軸５が回転されて、各スラット４が同位相で回動される。
【００３１】
一方、操作棒１０を操作して、チルトランナー９ａをハンガーレール１に沿って左方へ移動させれば、先頭ランナー２ａ及び後続のランナー２が同方向へ順次移動され、スラット４がハンガーレール１の左端部に畳み込まれる。従って、操作棒１０をチルトランナー９ａから吊下支持することにより、左納まり仕様となる。
【００３２】
右納まり仕様とする場合には、操作棒１０をチルトランナー９ｂに付け替え、チルトランナー９ａをハンガーレール１の右端側のエンドキャップ６ａの保持部２５に保持した状態とする。
【００３３】
この状態で、操作棒１０を操作してチルトランナー９ｂをハンガーレール１に沿って左方へ移動させれば、先頭ランナー２ｂ及び後続のランナー２が同方向へ順次移動され、スラット４が引き出される。また、操作棒１０を回転操作すると、チルト軸５が回転されて、各スラット４が同位相で回動される。
【００３４】
一方、操作棒１０を操作して、チルトランナー９ｂをハンガーレール１に沿って右方へ移動させれば、先頭ランナー２ａ及び後続のランナー２が同方向へ順次移動され、スラット４がハンガーレール１の右端部に畳み込まれる。
【００３５】
また、図１１に示すように、左納まり仕様として使用しているとき、ハンガーレール１の左端部にスラット４を畳み込んだ状態から、右納まり仕様とする場合には、図１２に示すように、操作棒１０をチルトランナー９ａから同９ｂに付け替えればよい。このとき、操作者はほとんど移動することなく、付け替え操作を行うことができる。
【００３６】
また、チルトランナー９ｂに取着した操作棒１０を操作することにより、図１３に示すように、ハンガーレール１の左端側を一時的に開放することもできる。また、図１４に示すように、スラット４をハンガーレール１の右端側へ畳み込んでチルトランナー９ａをエンドキャップ６ａに保持させると、右納まり仕様となる。
【００３７】
また、図１５に示すように、スラット４をハンガーレール１の中央部に畳み込んだ状態から、操作棒１０を付け替えれば、ハンガーレール１の右側のみを開閉する状態、あるいはハンガーレール１の左側のみを開閉する状態を選択することができる。
【００３８】
上記のように構成された縦型ブラインドでは、次に示す作用効果を得ることができる。
（１）チルトランナー９ａ，９ｂに対し操作棒１０を付け替えることにより、右納まり仕様と左納まり仕様のいずれかを任意に選択することができる。
（２）チルトランナー９ａ，９ｂのうち、操作を行うチルトランナーにのみ操作棒１０が吊下支持される。非操作側のチルトランナーには操作棒１０が吊下支持されないので、美観上好ましい。
（３）非操作側のチルトランナーには操作棒１０が吊下支持されないので、当該チルトランナーの無用な誤操作を防止することができる。
（４）右納まり仕様と左納まり仕様の変更に際し、ハンガーレールの着脱作業あるいはランナー群及び操作部の組み直し作業が必要となることはない。
（５）エンドキャップ６ａ，６ｂの保持部２５により、移動操作しないチルトランナーをハンガーレール１の端部に確実に保持することができる。
（６）各チルトランナー９ａ，９ｂの入力軸１３は、その掛止孔１６が同一方向を向くようにその回転角の位相が調整されているので、操作棒１０を付け替える際に、操作棒１０のフックの向きを変えることなく速やかに付け替えることができる。
（７）各チルトランナー９ａ，９ｂの入力軸１３は、ハンガーレール１の前後方向の中心から前方、すなわち室内側にオフセットして露出されるので、操作棒１０の付け替えを容易に行うことができる。
（８）スラット４の畳み込み位置と、開閉範囲とを多様に変更することができる。
【図面の簡単な説明】
【００３９】
【図１】縦型ブラインドを示す正面図である。
【図２】縦型ブラインドを示す平面図である。
【図３】ランナーを示す正面図である。
【図４】ハンガーレール右端側のチルトランナーを示す側面図である。
【図５】ハンガーレール右端側のチルトランナーを示す正面図である。
【図６】ハンガーレール右端側のチルトランナーを示す平面図である。
【図７】ハンガーレール左端側のチルトランナーを示す正面図である。
【図８】エンドキャップを示す底面図である。
【図９】連結棹の別例を示す斜視図である。
【図１０】連結棹の別例を示す正面図である。
【図１１】スラットの開閉操作を示す概念図である。
【図１２】スラットの開閉操作を示す概念図である。
【図１３】スラットの開閉操作を示す概念図である。
【図１４】スラットの開閉操作を示す概念図である。
【図１５】スラットの開閉操作を示す概念図である。
【符号の説明】
【００４０】
１          ハンガーレール
２          ランナー
２ａ，２ｂ      先頭ランナー
４          スラット
５          チルト軸
６ａ，６ｂ      エンドキャップ
９ａ，９ｂ        チルトランナー
１０        操作棒
１２        ケース
１３        入力軸
１４        出力軸
１６        掛止孔
２５        保持手段（保持部）
【図１】
2006249781.tif 000003
【図２】
2006249781.tif 000004
【図３】
2006249781.tif 000005
【図４】
2006249781.tif 000006
【図５】
2006249781.tif 000007
【図６】
2006249781.tif 000008
【図７】
2006249781.tif 000009
【図８】
2006249781.tif 000010
【図９】
2006249781.tif 000011
【図１０】
2006249781.tif 000012
【図１１】
2006249781.tif 000013
【図１２】
2006249781.tif 000014
【図１３】
2006249781.tif 000015
【図１４】
2006249781.tif 000016
【図１５】
2006249781.tif 000017